(57)【要約】【課題】携帯端末装置を利用した決済処理時に、携帯端末装置へ広告情報の所在を示すＵＲＬを送信し、携帯端末装置が自端末装置内のＵＲＬ記憶部に送られてきたＵＲＬを格納する広告システムにおいて、ＵＲＬ記憶部に同一のＵＲＬが重複して格納されないようにする。【解決手段】決済処理を行うために携帯端末装置１を改札機２にかざすと、携帯端末装置１が、ＵＲＬ記憶部に格納されているＵＲＬのリストを決済データに付加したリスト付き決済データ作成し、改札機２へ送信する。改札機２では、携帯端末装置１から送られてきたリスト付き決済データ中のリストに基づいて、送信候補の広告情報のＵＲＬの中からリストに載っていないＵＲＬを選択し、選択したＵＲＬを携帯端末装置１へ送信する。【選択図】図１
2009301251.tif 000002
【特許請求の範囲】
【請求項１】
携帯端末装置と、広告所在情報送信端末装置とを含む広告システムであって、
前記携帯端末装置は、
決済データが格納される決済データ記憶部と、
広告情報の所在を示す所在情報が格納される所在情報記憶部と、
前記決済データ記憶部に格納されている決済データに前記所在情報記憶部に格納されている所在情報のリストを付加したリスト付き決済データを前記広告所在情報送信端末装置へ送信し、前記リスト付き決済データに応答して前記広告所在情報送信端末装置から送られてきた所在情報付き決済結果中の決済結果に従って前記決済データ記憶部に格納されている決済データを更新する携帯側決済処理部と、
前記広告所在情報送信端末装置から送られてきた前記所在情報付き決済結果中の所在情報を前記所在情報記憶部に格納する所在情報処理部とを備え、
前記広告所在情報送信端末装置は、
送信候補としている広告情報の所在を示す所在情報の中から、前記携帯側決済処理部から送られてきた前記リスト付き決済データ中のリストに載っていない所在情報を選択する所在情報選択部と、
前記携帯側決済処理部から送られてきた前記リスト付き決済データ中の決済データに従った決済処理を行い、決済結果に前記所在情報選択部で選択された所在情報を付加した所在情報付き決済結果を前記携帯端末装置へ送信する送信端末側決済処理部とを備えたことを特徴とする広告システム。
【請求項２】
請求項１記載の広告システムにおいて、
前記携帯端末装置を利用するユーザのユーザＩＤに関連付けて前記送信候補としている広告情報に対する前記ユーザのアクセス状況を示すアクセス状況管理情報を保持する広告サーバを更に含み、
前記リスト付き決済データには、更に自携帯端末装置を利用するユーザのユーザＩＤが付加され、
前記広告所在情報送信端末装置は、前記携帯側決済処理部から送られてきたリスト付き決済データ中のユーザＩＤに関連付けて管理されているアクセス状況管理情報を前記広告サーバから取得する所在情報要求部を更に備え、
前記所在情報選択部は、前記送信候補としている広告情報の所在を示す所在情報の中から、前記携帯側決済処理部から送られてきたリスト付き決済データ中のリストに載っておらず且つ前記所在情報要求部が取得したアクセス状況管理情報が未アクセスであることを示している広告情報の所在情報を選択することを特徴とする広告システム。
【請求項３】
請求項１または２記載の広告システムにおいて、
前記所在情報は、ＵＲＬであることを特徴とする広告システム。
【請求項４】
請求項１乃至３の何れか１項に記載の広告システムにおいて、
前記携帯端末装置と前記広告所在情報送信端末装置との間の通信は、近距離無線通信により行うことを特徴とする広告システム。
【請求項５】
広告所在情報送信端末装置と、
決済データが格納される決済データ記憶部、広告情報の所在を示す所在情報が格納される所在情報記憶部、前記決済データ記憶部に格納されている決済データに前記所在情報記憶部に格納されている所在情報のリストを付加したリスト付き決済データを前記広告所在情報送信端末装置へ送信し、前記リスト付き決済データに応答して前記広告所在情報送信端末装置から送られてきた所在情報付き決済結果中の決済結果に従って前記決済データ記憶部に格納されている決済データを更新する携帯側決済処理部および前記広告所在情報送信端末装置から送られてきた前記所在情報付き決済結果中の所在情報を前記所在情報記憶部に格納する所在情報処理部を含む携帯端末装置とを備えた広告システムの構成要素である広告所在情報送信端末装置であって、
送信候補としている広告情報の所在を示す所在情報の中から、前記携帯側決済処理部から送られてきた前記リスト付き決済データ中のリストに載っていない所在情報を選択する所在情報選択部と、
前記携帯側決済処理部から送られてきた前記リスト付き決済データ中の決済データに従った決済処理を行い、決済結果に前記所在情報選択部で選択された所在情報を付加した所在情報付き決済結果を前記携帯端末装置へ送信する送信端末側決済処理部とを備えたことを特徴とする広告所在情報送信端末装置。
【請求項６】
請求項５記載の広告所在情報送信端末装置において、
前記リスト付き決済データには、更に自携帯端末装置を利用するユーザのユーザＩＤが付加され、
前記携帯端末装置を利用するユーザのユーザＩＤに関連付けて前記送信候補としている広告情報に対する前記ユーザのアクセス状況を示すアクセス状況管理情報を保持する広告サーバから、前記携帯側決済処理部から送られてきたリスト付き決済データ中のユーザＩＤに関連付けて管理されているアクセス状況管理情報を取得する所在情報要求部を更に備え、且つ、
前記所在情報選択部は、前記送信候補としている広告情報の所在を示す所在情報の中から、前記携帯側決済処理部から送られてきたリスト付き決済データ中のリストに載っておらず且つ前記所在情報要求部が取得したアクセス状況管理情報が未アクセスであることを示している広告情報の所在情報を選択することを特徴とする広告所在情報送信端末装置。
【請求項７】
決済データが格納される決済データ記憶部および広告情報の所在を示す所在情報が格納される所在情報記憶部を備えた携帯端末装置が、前記決済データ記憶部に格納されている決済データに前記所在情報記憶部に格納されている所在情報のリストを付加したリスト付き決済データを広告所在情報送信端末装置へ送信する第１のステップと、
前記広告所在情報送信端末装置が、送信候補としている広告情報の所在を示す所在情報の中から、前記携帯端末装置から送られてきた前記リスト付き決済データ中のリストに載っていない所在情報を選択する第２のステップと、
前記広告所在情報送信端末装置が、前記携帯端末装置から送られてきた前記リスト付き決済データ中の決済データに従った決済処理を行い、決済結果に前記第２のステップで選択された所在情報を付加した所在情報付き決済結果を前記携帯端末装置へ送信する第３のステップと、
前記携帯端末装置が、前記広告所在情報送信端末装置から送られてきた前記所在情報付き決済結果中の決済結果に従って前記決済データ記憶部に格納されている決済データを更新する第４のステップと、
前記携帯端末装置が、前記広告所在情報送信端末装置から送られてきた前記所在情報付き決済結果中の所在情報を前記所在情報記憶部に格納する第５のステップとを含むことを特徴とする広告所在情報送信方法。
【請求項８】
請求項７記載の広告所在情報送信方法において、
前記リスト付き決済データには、更に自携帯端末装置を利用するユーザのユーザＩＤが付加され、
前記広告所在情報送信端末装置が、前記携帯端末装置を利用するユーザのユーザＩＤに関連付けて前記送信候補としている広告情報に対する前記ユーザのアクセス状況を示すアクセス状況管理情報を保持している広告サーバから、前記携帯端末装置から送られてきたリスト付き決済データ中のユーザＩＤに関連付けて管理されているアクセス状況管理情報を取得する第６のステップを含み、且つ、
前記第２のステップでは、前記送信候補としている広告情報の所在を示す所在情報の中から、前記携帯端末装置から送られてきたリスト付き決済データ中のリストに載っておらず且つ前記第６のステップで取得したアクセス状況管理情報が未アクセスであることを示している広告情報の所在情報を選択することを特徴とする広告所在情報送信方法。
【請求項９】
広告所在情報送信端末装置と、
決済データが格納される決済データ記憶部、広告情報の所在を示す所在情報が格納される所在情報記憶部、前記決済データ記憶部に格納されている決済データに前記所在情報記憶部に格納されている所在情報のリストを付加したリスト付き決済データを前記広告所在情報送信端末装置へ送信し、前記リスト付き決済データに応答して前記広告所在情報送信端末装置から送られてきた所在情報付き決済結果中の決済結果に従って前記決済データ記憶部に格納されている決済データを更新する携帯側決済処理部および前記広告所在情報送信端末装置から送られてきた前記所在情報付き決済結果中の所在情報を前記所在情報記憶部に格納する所在情報処理部を含む携帯端末装置とを備えた広告システムの構成要素である広告所在情報送信端末装置をコンピュータによって実現するためのプログラムであって、
前記コンピュータを、
送信候補としている広告情報の所在を示す所在情報の中から、前記携帯側決済処理部から送られてきた前記リスト付き決済データ中のリストに載っていない所在情報を選択する所在情報選択部、
前記携帯側決済処理部から送られてきた前記リスト付き決済データ中の決済データに従った決済処理を行い、決済結果に前記所在情報選択部で選択された所在情報を付加した所在情報付き決済結果を前記携帯端末装置へ送信する送信端末側決済処理部として機能させるためのプログラム。
【請求項１０】
請求項９記載のプログラムにおいて、
前記リスト付き決済データには、更に自携帯端末装置を利用するユーザのユーザＩＤが付加され、
前記コンピュータを、
前記携帯端末装置を利用するユーザのユーザＩＤに関連付けて前記送信候補としている広告情報に対する前記ユーザのアクセス状況を示すアクセス状況管理情報を保持する広告サーバから、前記携帯側決済処理部から送られてきたリスト付き決済データ中のユーザＩＤに関連付けて管理されているアクセス状況管理情報を取得する所在情報要求部として機能させ、
前記所在情報選択部は、前記送信候補としている広告情報の所在を示す所在情報の中から、前記携帯側決済処理部から送られてきたリスト付き決済データ中のリストに載っておらず且つ前記所在情報要求部が取得したアクセス状況管理情報が未アクセスであることを示している広告情報の所在情報を選択することを特徴とするプログラム。
【発明の詳細な説明】
【技術分野】
【０００１】
本発明は、携帯電話機、ＰＤＡなどの携帯端末装置を利用した広告システムに関し、特に、広告情報の所在を示す所在情報を携帯端末装置へ送信する広告システムに関する。
【背景技術】
【０００２】
携帯端末装置を利用した広告システムとして、広告サイトのＵＲＬを近距離無線通信により携帯端末装置へ送信し、携帯端末装置内の記憶部に上記ＵＲＬを記録するものが従来から知られている（例えば、特許文献１）。
【０００３】
特許文献１に記載されている技術は、店舗のレジなどに設置されるリーダライタ装置に対して、ユーザが携帯端末装置を利用した電子マネー決算を行った際に、リーダライタ装置からユーザの携帯端末装置に対して近距離無線通信により、予め用意されている広告サイトのＵＲＬ及びタイトルを送信し、携帯端末装置内のＵＲＬ記憶部に上記ＵＲＬ及びタイトルを書き込むようにしている。ユーザは、ＵＲＬ記憶部に格納されているＵＲＬを利用して広告サイトにアクセスする場合は、ＵＲＬ記憶部に格納されているＵＲＬ及びタイトルの一覧を表示部に表示し、その後、表示されているＵＲＬ及びタイトルの中から、アクセスしたい広告サイトに対応するＵＲＬを選択する。これにより、携帯端末装置は、ユーザによって選択されたＵＲＬを利用して該当する広告サイトにアクセスする。
【０００４】
【特許文献１】特開２００８−０１５７０８号公報
【発明の開示】
【発明が解決しようとする課題】
【０００５】
特許文献１に記載されている技術は、ユーザが携帯端末装置を利用して電子マネー決済を行った際、無条件でリーダライタ装置から携帯端末装置へＵＲＬを送信するようにしているため、携帯端末装置内のＵＲＬ記憶部に、同一広告サイトのＵＲＬが重複して格納されてしまう場合があるという問題がある。
【０００６】
〔発明の目的〕
そこで、本発明の目的は、携帯端末装置の記憶部に同一の広告情報の所在情報が重複して格納されないようにすることにある。
【課題を解決するための手段】
【０００７】
本発明にかかる第１の広告システムは、
携帯端末装置と、広告所在情報送信端末装置とを含む広告システムであって、
前記携帯端末装置は、
決済データが格納される決済データ記憶部と、
広告情報の所在を示す所在情報が格納される所在情報記憶部と、
前記決済データ記憶部に格納されている決済データに前記所在情報記憶部に格納されている所在情報のリストを付加したリスト付き決済データを前記広告所在情報送信端末装置へ送信し、前記リスト付き決済データに応答して前記広告所在情報送信端末装置から送られてきた所在情報付き決済結果中の決済結果に従って前記決済データ記憶部に格納されている決済データを更新する携帯側決済処理部と、
前記広告所在情報送信端末装置から送られてきた前記所在情報付き決済結果中の所在情報を前記所在情報記憶部に格納する所在情報処理部とを備え、
前記広告所在情報送信端末装置は、
送信候補としている広告情報の所在を示す所在情報の中から、前記携帯側決済処理部から送られてきた前記リスト付き決済データ中のリストに載っていない所在情報を選択する所在情報選択部と、
前記携帯側決済処理部から送られてきた前記リスト付き決済データ中の決済データに従った決済処理を行い、決済結果に前記所在情報選択部で選択された所在情報を付加した所在情報付き決済結果を前記携帯端末装置へ送信する送信端末側決済処理部とを備えている。
【０００８】
本発明にかかる第１の広告所在情報送信端末装置は、
広告所在情報送信端末装置と、
決済データが格納される決済データ記憶部、広告情報の所在を示す所在情報が格納される所在情報記憶部、前記決済データ記憶部に格納されている決済データに前記所在情報記憶部に格納されている所在情報のリストを付加したリスト付き決済データを前記広告所在情報送信端末装置へ送信し、前記リスト付き決済データに応答して前記広告所在情報送信端末装置から送られてきた所在情報付き決済結果中の決済結果に従って前記決済データ記憶部に格納されている決済データを更新する携帯側決済処理部および前記広告所在情報送信端末装置から送られてきた前記所在情報付き決済結果中の所在情報を前記所在情報記憶部に格納する所在情報処理部を含む携帯端末装置とを備えた広告システムの構成要素である広告所在情報送信端末装置であって、
送信候補としている広告情報の所在を示す所在情報の中から、前記携帯側決済処理部から送られてきた前記リスト付き決済データ中のリストに載っていない所在情報を選択する所在情報選択部と、
前記携帯側決済処理部から送られてきた前記リスト付き決済データ中の決済データに従った決済処理を行い、決済結果に前記所在情報選択部で選択された所在情報を付加した所在情報付き決済結果を前記携帯端末装置へ送信する送信端末側決済処理部とを備えている。
【０００９】
本発明にかかる第１の広告所在情報送信方法は、
決済データが格納される決済データ記憶部および広告情報の所在を示す所在情報が格納される所在情報記憶部を備えた携帯端末装置が、前記決済データ記憶部に格納されている決済データに前記所在情報記憶部に格納されている所在情報のリストを付加したリスト付き決済データを広告所在情報送信端末装置へ送信する第１のステップと、
前記広告所在情報送信端末装置が、送信候補としている広告情報の所在を示す所在情報の中から、前記携帯端末装置から送られてきた前記リスト付き決済データ中のリストに載っていない所在情報を選択する第２のステップと、
前記広告所在情報送信端末装置が、前記携帯端末装置から送られてきた前記リスト付き決済データ中の決済データに従った決済処理を行い、決済結果に前記第２のステップで選択された所在情報を付加した所在情報付き決済結果を前記携帯端末装置へ送信する第３のステップと、
前記携帯端末装置が、前記広告所在情報送信端末装置から送られてきた所在情報付き決済結果中の決済結果に従って前記決済データ記憶部に格納されている決済データを更新する第４のステップと、
前記携帯端末装置が、前記広告所在情報送信端末装置から送られてきた前記所在情報付き決済結果中の所在情報を前記所在情報記憶部に格納する第５のステップとを含む。
【００１０】
本発明にかかる第１のプログラムは、
広告所在情報送信端末装置と、
決済データが格納される決済データ記憶部、広告情報の所在を示す所在情報が格納される所在情報記憶部、前記決済データ記憶部に格納されている決済データに前記所在情報記憶部に格納されている所在情報のリストを付加したリスト付き決済データを前記広告所在情報送信端末装置へ送信し、前記リスト付き決済データに応答して前記広告所在情報送信端末装置から送られてきた所在情報付き決済結果中の決済結果に従って前記決済データ記憶部に格納されている決済データを更新する携帯側決済処理部および前記広告所在情報送信端末装置から送られてきた前記所在情報付き決済結果中の所在情報を前記所在情報記憶部に格納する所在情報処理部を含む携帯端末装置とを備えた広告システムの構成要素である広告所在情報送信端末装置をコンピュータによって実現するためのプログラムであって、
前記コンピュータを、
送信候補としている広告情報の所在を示す所在情報の中から、前記携帯側決済処理部から送られてきた前記リスト付き決済データ中のリストに載っていない所在情報を選択する所在情報選択部、
前記携帯側決済処理部から送られてきた前記リスト付き決済データ中の決済データに従った決済処理を行い、決済結果に前記所在情報選択部で選択された所在情報を付加した所在情報付き決済結果を前記携帯端末装置へ送信する送信端末側決済処理部として機能させる。
【発明の効果】
【００１１】
本発明によれば、携帯端末装置の所在情報記憶部に、同一の所在情報が重複して格納されないようにすることができる。また、本発明によれば、携帯端末装置と広告所在情報送信端末装置との間の信号の送受信回数を、決済処理を行う場合と同じにしても、所在情報の重複を防ぐことができる。
【発明を実施するための最良の形態】
【００１２】
次に、本発明を実施するための最良の形態について図面を参照して詳細に説明する。
【００１３】
〔本発明の第１の実施の形態〕
図１を参照すると、本発明にかかる広告システムの第１の実施の形態は、携帯電話機、ＰＤＡなどの携帯端末装置１と、広告所在情報送信端末装置としての改札機２と、広告サーバ３とから構成されている。そして、改札機２と広告サーバ３とは、ネットワーク５を介して相互に接続され、携帯端末装置１と広告サーバ３とは、無線基地局４及びネットワーク５を介して相互に接続されている。また、携帯端末装置１と改札機２とは近距離無線通信によりデータをやり取りする。
【００１４】
図２を参照すると、携帯端末装置１は、本体側制御部１０１と、本体側記憶部１０２と、送受信部１０３と、テンキー等の入力部１０４と、ＬＣＤ等の表示部１０５と、本体側インタフェース（ＩＦ）部１０６とを備えている。更に、携帯端末装置１は、非接触型ＩＣカード１０７を搭載している。非接触型ＩＣカード１０７は、カード側制御部１０８と、カード側記憶部１１１と、カード側ＩＦ部１１４と、近距離無線通信部１１５とを備えている。
【００１５】
本体側制御部１０１は、ＣＰＵ等によって実現され、本体側記憶部１０２に格納されているプログラムに従った処理を行う。本体側記憶部１０２には、制御プログラムや、Ｗｅｂブラウザ、メーラなどのアロケーションプログラムが格納されている。
【００１６】
送受信部１０３は、無線基地局４との間でデータをやり取りする。本体側ＩＦ部１０６は、非接触型ＩＣカード１０７内のカード側ＩＦ部１１４との間でデータをやり取りする。
【００１７】
非接触型ＩＣカード１０７内の近距離無線通信部１１５は、改札機２との間で近距離無線通信を行う。非接触型ＩＣカード１０７と改札機２との間の通信は、近距離無線通信部１１５を介して行われる。
【００１８】
カード側記憶部１１１には、決済データ記憶部１１２と、所在情報記憶部としてのＵＲＬ記憶部１１３とが設けられている。
【００１９】
決済データ記憶部１１２には、電車利用時の乗車料金の決済処理を行うために必要になる決済データ（電子マネーデータ、乗車駅、降車駅など）が格納される。ＵＲＬ記憶部１１３には、広告情報のＵＲＬとタイトルとの対が格納される。上記ＵＲＬは、例えば、広告サイトのホームページの所在を示すものであり、タイトルは例えば「割引クーポンプレゼント」、「新製品紹介」などである。
【００２０】
カード側制御部１０８は、決済処理部１０９と、所在情報処理部としてのＵＲＬ処理部１１０とを備えている。
【００２１】
決済処理部１０９は、決済データ記憶部１１２に格納されている決済データに、ＵＲＬ記憶部１１３に格納されているＵＲＬのリストを付加したリスト付き決済データを作成し、近距離無線通信部１１５を介して改札機２へ送信する機能や、改札機２から送られてきたＵＲＬ付き決済結果（決済結果にＵＲＬとタイトルとの対が付加されている）中の決済結果に従って決済データ記憶部１１３に格納されている決済データを更新する機能を有する。
【００２２】
ＵＲＬ処理部１１０は、改札機２から送られてきたＵＲＬ付き決済結果中のＵＲＬとタイトルとの対をＵＲＬ記憶部１１３に追加登録する機能を有する。
【００２３】
なお、カード側制御部１０８は、ＣＰＵによって実現可能であり、その場合は、例えば、次のようにする。ＣＰＵを決済処理部１０９およびＵＲＬ処理部１１０として機能させるためのプログラムを記録した半導体メモリなどの記録媒体を用意し、ＣＰＵに上記プログラムを読み取らせる。ＣＰＵは、読み取ったプログラムに従って自身の動作を制御することにより、自ＣＰＵ上に決済処理部１０９およびＵＲＬ処理部１１０を実現する。
【００２４】
図３を参照すると、改札機２は、改札側制御部２０１と、改札側記憶部２０４と、リーダライタ２０６と、送受信部２０７とを備えている。
【００２５】
リーダライタ２０６は、携帯端末装置１内の近距離無線通信部１１５との間で近距離無線通信を行う。送受信部２０７は、ネットワーク５を介してデータを送受信する。
【００２６】
改札側記憶部２０４には、送信候補記憶部２０５が設けられており、ここには、送信候補とする広告情報のＵＲＬとタイトルとの対が格納されている。送信候補記憶部２０５の内容変更は、図示を省略した入力部を用いて行っても良いし、広告サーバ３からの遠隔制御により行っても良い。
【００２７】
改札側制御部２０１は、決済処理部２０２と、所在情報選択部としてのＵＲＬ選択部２０３とを備えている。
【００２８】
ＵＲＬ選択部２０３は、携帯端末装置１から送られてきたリスト付き決済データ中のリストに基づいて、送信候補記憶部２０５に格納されているＵＲＬとタイトルとの対の中から、携帯端末装置１のＵＲＬ記憶部１１３に格納されていない対を選択する機能を有する。決済処理部２０２は、携帯端末装置１から送られてきたリスト付き決済データ中の決済データに基づいた決済処理を行い、決済結果にＵＲＬ選択部２０３で選択された対を付加したＵＲＬ付き決済結果を作成し、携帯端末装置１へ送信する機能を有する。
【００２９】
なお、改札側制御部２０１は、ＣＰＵによって実現可能であり、その場合は、例えば次のようにする。ＣＰＵを決済処理部２０２およびＵＲＬ処理部２０３として機能させるためのプログラムを記録した半導体メモリなどの記録媒体を用意し、ＣＰＵに上記プログラムを読み取らせる。ＣＰＵは、読み取ったプログラムに従って自身の動作を制御することにより、自ＣＰＵ上に決済処理部２０２およびＵＲＬ選択部２０３を実現する。
【００３０】
図４を参照すると、広告サーバ３は、サーバ側制御部３０１と、サーバ側記憶部３０４と、送受信部３０７とを備えている。
【００３１】
送受信部３０７は、ネットワーク５を介してデータを送受信する。
【００３２】
サーバ側記憶部３０４は、広告情報記憶部３０５と、ユーザ情報記憶部３０６とを備えている。
【００３３】
広告情報記憶部３０５には広告情報が格納されている。ユーザ情報記憶部３０６には、利用登録を行った各ユーザのユーザ情報が登録される。図５を参照すると、ユーザ情報は、ユーザＩＤと、パスワードと、氏名、住所、メールアドレス等の個人情報と、広告閲覧時に与えられたポイントの累積値とを含んでいる。なお、各ユーザは、自身に付与されているポイントに応じた特典を受けることができる。
【００３４】
サーバ側制御部３０１は、広告送信処理部３０２と、ポイント処理部３０３とを含んでいる。
【００３５】
広告送信処理部３０２は、携帯端末装置１からアクセスされたＵＲＬに対応する広告情報を広告情報記憶部３０５から読み出し、携帯端末装置１へ送信する機能や、広告情報中の閲覧確認ボタンが押下された場合、広告情報を閲覧しているユーザのユーザＩＤをポイント処理部３０３に渡し、該当するユーザにポイントを付与することを指示する機能を有する。
【００３６】
ポイント処理部３０３は、広告送信処理部３０２から通知されたユーザＩＤに関連付けて登録されているポイントを更新する機能を有する。
【００３７】
なお、サーバ側制御部３０１は、ＣＰＵによって実現可能であり、ＣＰＵによって実現する場合は、例えば次のようにする。ＣＰＵを広告送信処理部３０２およびポイント処理部３０３として機能させるためのプログラムを記録した半導体メモリなどの記録媒体を用意し、ＣＰＵに上記プログラムを読み取らせる。ＣＰＵは、読み取ったプログラムに従って自身の動作を制御することにより自ＣＰＵ上に広告送信処理部３０２およびポイント処理部３０３を実現する。
【００３８】
次に、本実施の形態の動作について詳細に説明する。
【００３９】
先ず、図６のフローチャートを参照して、携帯端末装置１のユーザが、改札機２に携帯端末装置１をかざしたときの動作について説明する。
【００４０】
ユーザが改札機２に携帯端末装置１をかざすと、携帯端末装置１内の決済処理部１０９が決済データ記憶部１１２に格納されている決済データに、ＵＲＬ記憶部１１３に格納されているＵＲＬのリストを付加したリスト付き決済データを作成し、改札機２へ送信する（ステップＳ６０１）。
【００４１】
改札機２内の決済処理部２０２は、携帯端末装置１から送られてきたリスト付き決済データ中の決済データに基づいた決済処理を行う（ステップＳ６０２）。
【００４２】
また、改札機２内のＵＲＬ選択部２０３は、携帯端末装置１から送られてきたリスト付き決済データ中のリストに基づいて、送信候補記憶部２０５に格納されているＵＲＬとタイトルとの対の中から、携帯端末装置１のＵＲＬ記憶部１１３に格納されていない対を選択する（ステップＳ６０３）。より具体的には、送信候補記憶部２０５に格納されている対の中から、上記リストに載っていないＵＲＬを含む対を選択する。その後、決済処理部２０２が、ＵＲＬ選択部２０３で選択された対を決済結果に付加したＵＲＬ付き決済結果を作成し、携帯端末装置１へ送信する（ステップＳ６０４）。
【００４３】
これにより、携帯端末装置１内の決済処理部１０９は、ＵＲＬ付き決済結果中の決済結果に従って決済データ記憶部１１２に格納されている決済データを更新し、ＵＲＬ処理部１１０は、ＵＲＬ付き決済結果中の対（ＵＲＬとタイトルとの対）をＵＲＬ記憶部１１３に格納する。以上の処理により、同一内容の対がＵＲＬ記憶部１１３に重複して格納されないようにすることができる。なお、上記処理において携帯端末装置１と改札機２との間の信号の送受信回数は２回であり、決済処理のみを行う場合と同じである。
【００４４】
次に、図７のフローチャートを参照して、携帯端末装置１のユーザが、ＵＲＬ記憶部１１３に登録されているＵＲＬを利用して広告を閲覧する場合の動作について説明する。
【００４５】
この場合、ユーザは、先ず、入力部１０４からＵＲＬ選択画面表示要求を入力する。これにより、本体側制御部１０１がＵＲＬ記憶部１１３に格納されているＵＲＬとタイトルとの対を読み込み、それらの内の１つをユーザに選択させるためのＵＲＬ選択画面を作成して表示部１０５に表示する（ステップＳ７０１）。
【００４６】
ユーザは、ＵＲＬ選択画面が表示されると、タイトルなどを考慮して、表示されたＵＲＬの中から閲覧を希望する広告情報のＵＲＬを１つ選択する。これにより、本体側制御部１０１は、選択されたＵＲＬにアクセスする（ステップＳ７０２）。これにより上記ＵＲＬの広告情報を管理している広告サーバ３内の広告送信処理部３０２は、携帯端末装置１との間で認証処理を行う（ステップＳ７０３、Ｓ７０４）。この認証処理においては、ユーザが入力部１０４から入力したユーザＩＤおよびパスワードが、広告サーバ３へ送信される。そして、認証に成功すると、広告送信処理部３０２は、広告情報記憶部３０５に格納されている該当する広告情報を携帯端末装置１へ送信する（ステップＳ７０５）。
【００４７】
一方、携帯端末装置１内の本体側制御部１０１は、広告サーバ３から送られてきた広告情報を表示部１０５に表示し、ユーザが広告情報内に設けられている閲覧確認ボタンを操作すると、閲覧確認通知を広告サーバ３へ送信する（ステップＳ７０６、Ｓ７０７）。
【００４８】
広告サーバ３内の広告送信処理部３０２は、閲覧確認通知が送られてくると、認証処理時に携帯端末装置１から送られてきたユーザＩＤをポイント処理部３０３に渡し、ポイントの更新を指示する。これにより、ポイント処理部３０３は、ユーザ情報記憶部３０６に格納されているポイントの内、広告送信処理部３０２から渡されたユーザＩＤに対応するポイントを更新（例えば、所定値だけ増加）する（ステップＳ７０８）。
【００４９】
〔第１の実施の形態の効果〕
本実施の形態によれば、携帯端末装置１のＵＲＬ記憶部１１３に、同一内容の対（ＵＲＬとタイトルとの対）が重複して格納されないようにすることができる。その理由は、改札機２のＵＲＬ選択部２０３が、送信候補としている広告情報のＵＲＬとタイトルとの対の中から、携帯端末装置１から送られてきたリスト（携帯端末装置１で保持しているＵＲＬのリスト）に載っていないＵＲＬを含んだ対を選択するようにしているからである。
【００５０】
また、本実施の形態によれば、携帯端末装置１と改札機２との間の信号の送受信回数を、決済処理を行う場合と同じにしても、ＵＲＬの重複を防ぐことができる。その理由は、携帯端末装置１が改札機２に対して決済データを送信する際、自端末装置で保持しているＵＲＬのリストを決済データに付加して送信し、改札機２が携帯端末装置１に対して決済結果を送信する際、ＵＲＬ選択部２０３で選択された対を決済結果に付加して送信するようにしているからである。
【００５１】
〔本発明の第２の実施の形態〕
次に、本発明の第２の実施の形態について詳細に説明する。本実施の形態は、携帯端末装置のユーザが既にアクセスした広告サイトのＵＲＬは、そのＵＲＬが携帯端末装置に保存されていなくとも、その携帯端末装置へ送信しないようにしたことを特徴とする。
【００５２】
本実施の形態で使用する携帯端末装置１は、図２に示した携帯端末装置１とほぼ同様の構成、機能を有している。但し、決済処理部１０９が作成するリスト付き決済データに、更にユーザＩＤが付加されている点が相違する。
【００５３】
また、本実施の形態では、図３および図４に示した改札機２および広告サーバ３の代わりにそれぞれ図８および図９に示す改札機２ａおよび広告サーバ３ａを使用する。
【００５４】
図８を参照すると、本実施の形態の改札機２ａは、改札側制御部２０１の代わりに改札側制御部２０１ａを備えている点で、第１の実施の形態の改札機２と相違している。
【００５５】
改札側制御部２０１ａは、ＵＲＬ選択部２０３の代わりにＵＲＬ選択部２０３ａを備えている点、および所在情報要求部としてのアクセス済みＵＲＬ要求部２０８が追加されている点が、第１の実施の形態の改札側制御部２０１と相違している。
【００５６】
アクセス済みＵＲＬ要求部２０８は、携帯端末装置１から送られてきたユーザＩＤを含んだアクセス済みＵＲＬ要求を広告サーバ３ａへ送信することにより、上記ユーザＩＤのユーザが既にアクセス済みの広告情報のＵＲＬを要求する機能や、この要求に応答して広告サーバ３ａから送られてきたＵＲＬをＵＲＬ選択部２０３ａに渡す機能を有する。
【００５７】
ＵＲＬ選択部２０３ａは、携帯端末装置１から送られてきたリスト付き決済データ中のリストと、アクセス済みＵＲＬ要求部２０８から渡されたＵＲＬとに基づいて、送信候補記憶部２０５に格納されているＵＲＬとタイトルとの対の中から、携帯端末装置１内のＵＲＬ記憶部１１３に格納されておらず且つユーザがアクセスしたことがない広告情報のＵＲＬを含んだ対を選択し、選択した対を携帯端末装置１へ送信する機能を有する。
【００５８】
図９を参照すると、本実施の形態の広告サーバ３ａは、サーバ側制御部３０１およびサーバ側記憶部３０４の代わりにそれぞれサーバ側制御部３０１ａおよびサーバ側記憶部３０４ａを備えている点が、第１の実施の形態の広告サーバ３と相違している。
【００５９】
サーバ側記憶部３０４ａは、ユーザ情報記憶部３０６の代わりにユーザ情報記憶部３０６ａを備えており、そこには図１０に示すようなユーザ情報が格納される。本実施の形態のユーザ情報は、項目「アクセス済みＵＲＬ」が追加されている点が、第１の実施の形態のユーザ情報と相違している。
【００６０】
本実施の形態のサーバ側制御部３０１ａは、広告送信処理部３０２の代わりに広告送信処理部３０２ａを備えている点、およびアクセス済みＵＲＬ送信部３０８が追加されている点が、第１の実施の形態のサーバ側制御部３０１と相違している。
【００６１】
アクセス済みＵＲＬ送信部３０８は、改札機２ａからユーザＩＤを含んだアクセス済みＵＲＬ要求が送られてきたとき、ユーザ情報記憶部３０６ａから上記ユーザＩＤに対応付けて登録されているアクセス済みＵＲＬを検索し、検索したＵＲＬを改札機２ａへ送信する機能を有する。
【００６２】
広告送信処理部３０２ａは、広告送信処理部３０２が備えている機能に加え、携帯端末装置１のユーザによってアクセスされた広告情報のＵＲＬを、ユーザ情報記憶部３０６ａに格納されている上記ユーザのユーザ情報の項目「アクセス済みＵＲＬ」に追加する機能を有する。
【００６３】
次に、本実施の形態の動作について詳細に説明する。
【００６４】
先ず、図１１のフローチャートを参照して携帯端末装置１のユーザが、ＵＲＬ記憶部１１３に格納されているＵＲＬを利用して広告サイトにアクセスする場合の動作を説明する。なお、第１の実施の形態との相違点は、ステップＳ１１００の処理が追加されている点だけであるので、ここでは、この点についてのみ説明する。ステップＳ１１００では、広告送信処理部３０２ａが、認証処理時に得たユーザＩＤのユーザ情報をユーザ情報記憶部３０６ａから検索し、検索したユーザ情報の項目「アクセス済みＵＲＬ」に、ユーザがアクセスした広告サイトのＵＲＬを追加登録する。
【００６５】
ところで、ＵＲＬ記憶部１１３に格納されているＵＲＬを利用して広告情報をアクセスした後、ユーザが、アクセス済みのＵＲＬをＵＲＬ記憶部１１３から削除する場合がある。このように削除した場合、第１の実施の形態では、携帯端末装置１を改札機２にかざすことにより、削除したＵＲＬと同じＵＲＬが改札機２から携帯端末装置１へ送られ、ＵＲＬ記憶部１１３に再び格納されてしまう。これに対して、本実施の形態では、携帯端末装置１を改札機２ａにかざした際、図１２のフローチャートに示す処理を行うようにしているので、上記したような不都合が発生することはない。
【００６６】
図１２を参照すると、ユーザが携帯端末装置１を改札機２ａにかざすと、携帯端末装置１内の決済処理部１０９が決済データ記憶部１１２に格納されている決済データに、ＵＲＬ記憶部１１３に格納されているＵＲＬのリストとユーザＩＤとを付加したリスト付き決済データを作成し、改札機２ａに送信する（ステップＳ１２０１）。なお、ユーザＩＤは、本体側記憶部１０２或いはカード側記憶部１１１に格納されている。
【００６７】
改札機２ａの決済処理部２０２は、リスト付き決済データ中の決済データに従った決済処理を行い（ステップＳ１２０２）、アクセス済みＵＲＬ要求部２０８は、リスト付き決済データ中のユーザＩＤを含んだアクセス済みＵＲＬ要求を広告サーバ３ａへ送信する（ステップＳ１２０３）。
【００６８】
これにより、広告サーバ３ａ内のアクセス済みＵＲＬ送信部３０８は、ユーザ情報記憶部３０６ａから、上記要求中のユーザＩＤによって特定されるユーザ情報を検索し、検索したユーザ情報中の項目「アクセス済みＵＲＬ」の内容を改札機２ａへ送信する（ステップＳ１２０４）。
【００６９】
改札機２ａ内のアクセス済みＵＲＬ要求部２０８は、広告サーバ３ａから送られてきたＵＲＬをＵＲＬ選択部２０３ａに渡す。これにより、ＵＲＬ選択部２０３ａは、送信候補記憶部２０５に格納されているＵＲＬとタイトルとの対の中から、携帯端末装置１内のＵＲＬ記憶部１１３に格納されておらず且つアクセス済みＵＲＬ要求部２０８から渡されたＵＲＬとは異なるＵＲＬを含んだ対を選択する（ステップＳ１２０５）。
【００７０】
その後、決済処理部２０２が、ＵＲＬ選択部２０３ａが選択した対を決済結果に付加したＵＲＬ付き決済結果を作成し、携帯端末装置１へ送信する（ステップＳ１２０６）。
【００７１】
これにより、携帯端末装置１内の決済処理部１０９は、ＵＲＬ付き決済結果中の決済結果に従って決済データ記憶部１１２に格納されている決済データを更新し、ＵＲＬ処理部１１０は、上記ＵＲＬ付き決済結果中のＵＲＬとタイトルとの対をＵＲＬ記憶部１１３に追加登録する（ステップＳ１２０７）。
【００７２】
なお、上述した各実施の形態では、広告所在情報送信端末装置として改札機２、２ａを使用した場合を例に挙げて説明したが、ＰＯＳ端末など、他の種別の端末装置を広告所在情報送信端末装置として使用することもできる。
【００７３】
〔第２の実施の形態の効果〕
本実施の形態によれば、携帯端末装置１のユーザが既にアクセスした広告情報のＵＲＬは、そのＵＲＬがＵＲＬ記憶部１１３に格納されていなくとも、携帯端末装置１へ送信しないようにすることができる。その理由は、ＵＲＬ選択部２０３ａが、送信候補としている広告情報の所在を示すＵＲＬとタイトルとの対の中から、携帯端末装置１から送られてきたＵＲＬのリストに載っておらず且つアクセス済みＵＲＬ要求部２０８で取得したＵＲＬとは異なるＵＲＬを含んだ対を選択するようにしているからである。
【産業上の利用可能性】
【００７４】
本発明は、非接触型ＩＣカードを搭載した携帯端末装置や、携帯端末装置と近距離無線通信を行う改札機、ＰＯＳ端末などに適用すると好適である。
【図面の簡単な説明】
【００７５】
【図１】本発明にかかる広告システムの第１の実施の形態の構成例を示すブロック図である。
【図２】携帯端末装置１の構成例を示すブロック図である。
【図３】改札機２の構成例を示すブロック図である。
【図４】広告サーバ３の構成例を示すブロック図である。
【図５】ユーザ情報記憶部３０６の一例を示す図である。
【図６】改札機２に携帯端末装置１をかざしたときの、第１の実施の形態における処理例を示すフローチャートである。
【図７】携帯端末装置１のＵＲＬ記憶部１１３に格納されているＵＲＬを利用して広告サイトにアクセスする際の、第１の実施の形態における処理例を示すフローチャートである。
【図８】本発明にかかる広告システムの第２の実施の形態において利用する改札機２ａの構成例を示すブロック図である。
【図９】本発明にかかる広告システムの第２の実施の形態において利用する広告サーバ３ａの構成例を示すブロック図である。
【図１０】ユーザ情報記憶部３０６ａの一例を示す図である。
【図１１】携帯端末装置１のＵＲＬ記憶部１１３に格納されているＵＲＬを利用して広告サイトにアクセスする際の、第２の実施の形態における処理例を示すフローチャートである。
【図１２】改札機２ａに携帯端末装置１をかざしたときの、第２の実施の形態における処理例を示すフローチャートである。
【符号の説明】
【００７６】
１…携帯端末装置
１０１…本体側制御部
１０２…本体側記憶部
１０３…送受信部
１０４…入力部
１０５…表示部
１０６…本体側ＩＦ部
１０７…非接触型ＩＣカード
１０８…カード側制御部
１０９…決済処理部
１１０…ＵＲＬ処理部
１１１…カード側記憶部
１１２…決済データ記憶部
１１３…ＵＲＬ記憶部
１１４…カード側ＩＦ部
１１５…近距離無線通信部
２、２ａ…改札機
２０１、２０１ａ…改札側制御部
２０２…決済処理部
２０３、２０３ａ…ＵＲＬ選択部
２０４…改札側記憶部
２０５…送信候補記憶部
２０６…リーダライタ
２０７…送受信部
２０８…アクセス済みＵＲＬ要求部
３、３ａ…広告サーバ
３０１、３０１ａ…サーバ側制御部
３０２、３０２ａ…広告送信処理部
３０３…ポイント処理部
３０４、３０４ａ…サーバ側記憶部
３０５…広告情報記憶部
３０６、３０６ａ…ユーザ情報記憶部
３０７…送受信部
３０８…アクセス済みＵＲＬ送信部
４…無線基地局
５…ネットワーク
【図１】
2009301251.tif 000003
【図２】
2009301251.tif 000004
【図３】
2009301251.tif 000005
【図４】
2009301251.tif 000006
【図５】
2009301251.tif 000007
【図６】
2009301251.tif 000008
【図７】
2009301251.tif 000009
【図８】
2009301251.tif 000010
【図９】
2009301251.tif 000011
【図１０】
2009301251.tif 000012
【図１１】
2009301251.tif 000013
【図１２】
2009301251.tif 000014